(57)【要約】【課題】ユーザ端末から取得した調査結果を出力する。【解決手段】情報処理装置１は、質問グループ識別子を含む質問表示リクエストを受信すると、ニュースデータ２１及び質問データ２３を読み出して、質問グループ識別子に関連づけられたニュース識別子及び質問文、ニュース識別子に関連づけられたニュースの文言を抽出して、送信する質問表示手段１４と、ユーザ識別子、質問グループ識別子、質問識別子及び解答を含む解答登録リクエスト受信すると、ユーザ識別子、質問グループ識別子、質問識別子及び解答を関連づけてユーザ解答データ２４に記憶するユーザ解答登録手段１５と、質問グループ識別子を含む結果表示リクエストを受信すると、ユーザ解答データ２４を読み出して、質問グループ識別子に関連づけられた解答を集計して、質問グループ識別子に関連づけられる結果グラフタイプで結果データを生成して、結果データを送信する結果表示手段１６を備える。【選択図】      図１
2007122646.tif 000002
【特許請求の範囲】
【請求項１】
ユーザ端末から取得した調査結果を出力する情報処理装置において、
ニュース識別子とニュースの文言が関連づけられたニュースデータを記憶装置に記憶するニュースデータ記憶手段と、
前記ユーザ端末に提示する質問グループについて、質問グループ識別子と、前記質問グループの質問を表示する掲載時期と、前記ユーザ端末に前記質問に対して解答させる解答時期と、前記ユーザ端末からの解答を集計して表示する結果表示時期とが関連づけられた質問グループデータを前記記憶装置に記憶する質問グループデータ記憶手段と、
前記質問グループ識別子と、前記質問グループの質問識別子と、前記ニュース識別子と、前記質問文と、前記質問に対する結果を表示する結果グラフタイプとが関連づけられた質問データとが関連づけられた質問データを前記記憶装置に記憶する質問データ記憶手段と、
前記ユーザ端末から、前記質問グループを表示する質問グループ表示リクエストを受信すると、前記記憶装置から前記質問グループデータを読み出して、前記掲載時期に現在時が含まれる質問グループ識別子を抽出して前記ユーザ端末に送信するとともに、前記ユーザ端末から前記質問グループ識別子を含む質問表示リクエストを受信すると、前記記憶装置から前記ニュースデータ及び前記質問データを読み出して、当該質問グループ識別子に関連づけられたニュース識別子及び質問文、前記ニュース識別子に関連づけられたニュースの文言を抽出して、前記ユーザ端末に送信する質問表示手段と、
前記ユーザ端末から、ユーザ識別子、前記質問グループ識別子、前記質問識別子及び解答を含む解答登録リクエスト受信すると、前記記憶装置から前記質問グループデータを読み出して、前記解答登録リクエストに含まれる前記質問グループ識別子に関連づけられる前記解答時期に現在時が含まれる場合、前記ユーザ識別子、前記質問グループ識別子、前記質問識別子及び前記解答を関連づけてユーザ解答データに記憶するユーザ解答登録手段と、
前記ユーザ端末から、前記質問グループ識別子を含む結果表示リクエストを受信すると、前記記憶装置から質問グループデータを読み出して、前記結果表示リクエストに含まれる前記質問グループ識別子に関連づけられる前記結果表示時期に現在時が含まれる場合、前記記憶装置から前記ユーザ解答データを読み出して、当該質問グループ識別子に関連づけられた解答を集計して、当該質問グループ識別子に関連づけられる結果グラフタイプで結果データを生成して、前記結果データを前記ユーザ端末に送信する結果表示手段
を備えることを特徴とする情報処理装置。
【請求項２】
前記質問グループ識別子と、前記質問識別子と、前記解答と、解答者名と、前記解答者のコメントが関連づけられたパネラー解答データを前記記憶装置に記憶するパネラー解答データ記憶手段を更に備え、
前記結果表示手段は、更に、前記ユーザ解答データから、前記ユーザ識別子、前記質問グループ識別子及び前記質問識別子に関連づけられた前記解答を抽出するとともに、前記記憶装置から前記パネラー解答データを読み出して、前記質問グループ識別子、前記質問識別子及び抽出された前記解答に関連づけられた前記解答者名及びコメントを抽出して、抽出された前記解答者名及びコメントを前記ユーザ端末に送信する
ことを特徴とする請求項１に記載の情報処理装置。
【請求項３】
前記質問グループデータには、前記質問グループ識別子に関連づけられた結果を表示する対象が関連づけられており、
前記結果表示手段は、更に、前記質問グループ識別子に関連づけられた対象に、前記結果表示リクエストに含まれる前記ユーザ識別子が含まれる場合、前記ユーザ端末に前記結果データを送信する
ことを特徴とする請求項１又は２に記載の情報処理装置。
【請求項４】
前記質問グループがクイズである場合、
前記質問データには、前記質問識別子毎に正解解答が関連づけられ、
前記解答登録手段は更に、前記記憶装置から前記質問データを読み出して、前記質問グループ識別子及び前記質問識別子毎に前記ユーザ端末から送信された解答と前記質問データに含まれる正解解答とを比較して、前記ユーザ識別子及び前記質問グループ識別子毎に正解率を算出して、前記正解率を前記ユーザ解答データに記憶する
ことを特徴とする請求項１乃至３のいずれか１項に記載の情報処理装置。
【請求項５】
前記質問グループ識別子と、前記質問識別子と、前記正解率と、解答者名と、前記解答者のコメントが関連づけられたパネラー解答データを前記記憶装置に記憶するパネラー解答データ記憶手段を更に備え、
前記結果表示手段は、更に、前記ユーザ解答データから、前記ユーザ識別子、前記質問グループ識別子及び前記質問識別子に関連づけられた前記正解率を抽出するとともに、前記記憶装置から前記パネラー解答データを読み出して、前記質問グループ識別子、前記質問識別子及び抽出された前記正解率に関連づけられた前記解答者名及びコメントを抽出して、抽出された前記解答者名及びコメントを前記ユーザ端末に送信する
ことを特徴とする請求項４に記載の情報処理装置。
【請求項６】
前記質問グループデータには、親質問グループ識別子と、結果表示時期と、複数の質問グループ識別子とが関連づけられており、
前記結果表示手段は、更に、前記ユーザ端末から前記親質問グループ識別子を含む結果表示リクエストを受信すると、前記記憶装置から質問グループデータを読み出して、前記結果表示リクエストに含まれる前記親質問グループ識別子に関連づけられる前記結果表示時期に現在時が含まれる場合、前記記憶装置から前記ユーザ解答データを読み出して、当該親質問グループ識別子に関連づけられた解答を集計して、当該親質問グループ識別子に関連づけられる結果グラフタイプで結果データを生成して、前記結果データを前記ユーザ端末に送信する
ことを特徴とする請求項１乃至５のいずれか１項に記載の情報処理装置。
【請求項７】
ユーザ端末から取得した調査結果を出力する情報処理装置において、
テーマ識別子とテーマの文言が関連づけられたテーマデータを記憶装置に記憶するテーマデータ記憶手段と、
前記ユーザ端末に提示する質問グループについて、質問グループ識別子と、前記質問グループの質問を表示する掲載時期と、前記ユーザ端末に前記質問に対して解答させる解答時期と、前記ユーザ端末からの解答を集計して表示する結果表示時期とが関連づけられた質問グループデータを前記記憶装置に記憶する質問グループデータ記憶手段と、
前記質問グループ識別子と、前記質問グループの質問識別子と、前記テーマ識別子と、前記質問文と、前記質問に対する結果を表示する結果グラフタイプとが関連づけられた質問データとが関連づけられた質問データを前記記憶装置に記憶する質問データ記憶手段と、
前記ユーザ端末から、前記質問グループを表示する質問グループ表示リクエストを受信すると、前記記憶装置から前記質問グループデータを読み出して、前記掲載時期に現在時が含まれる質問グループ識別子を抽出して前記ユーザ端末に送信するとともに、前記ユーザ端末から前記質問グループ識別子を含む質問表示リクエストを受信すると、前記記憶装置から前記テーマデータ及び前記質問データを読み出して、当該質問グループ識別子に関連づけられたテーマ識別子及び質問文、前記テーマ識別子に関連づけられたテーマの文言を抽出して、前記ユーザ端末に送信する質問表示手段と、
前記ユーザ端末から、ユーザ識別子、前記質問グループ識別子、前記質問識別子及び解答を含む解答登録リクエスト受信すると、前記記憶装置から前記質問グループデータを読み出して、前記解答登録リクエストに含まれる前記質問グループ識別子に関連づけられる前記解答時期に現在時が含まれる場合、前記ユーザ識別子、前記質問グループ識別子、前記質問識別子及び前記解答を関連づけてユーザ解答データに記憶するユーザ解答登録手段と、
前記ユーザ端末から、前記質問グループ識別子を含む結果表示リクエストを受信すると、前記記憶装置から質問グループデータを読み出して、前記結果表示リクエストに含まれる前記質問グループ識別子に関連づけられる前記結果表示時期に現在時が含まれる場合、前記記憶装置から前記ユーザ解答データを読み出して、当該質問グループ識別子に関連づけられた解答を集計して、当該質問グループ識別子に関連づけられる結果グラフタイプで結果データを生成して、前記結果データを前記ユーザ端末に送信する結果表示手段
を備えることを特徴とする情報処理装置。
【請求項８】
ユーザ端末から取得した調査結果を出力する情報処理プログラムにおいて、
ニュース識別子とニュースの文言が関連づけられたニュースデータを記憶装置に記憶するニュースデータ記憶手段と、
前記ユーザ端末に提示する質問グループについて、質問グループ識別子と、前記質問グループの質問を表示する掲載時期と、前記ユーザ端末に前記質問に対して解答させる解答時期と、前記ユーザ端末からの解答を集計して表示する結果表示時期とが関連づけられた質問グループデータを前記記憶装置に記憶する質問グループデータ記憶手段と、
前記質問グループ識別子と、前記質問グループの質問識別子と、前記ニュース識別子と、前記質問文と、前記質問に対する結果を表示する結果グラフタイプとが関連づけられた質問データとが関連づけられた質問データを前記記憶装置に記憶する質問データ記憶手段と、
前記ユーザ端末から、前記質問グループを表示する質問グループ表示リクエストを受信すると、前記記憶装置から前記質問グループデータを読み出して、前記掲載時期に現在時が含まれる質問グループ識別子を抽出して前記ユーザ端末に送信するとともに、前記ユーザ端末から前記質問グループ識別子を含む質問表示リクエストを受信すると、前記記憶装置から前記ニュースデータ及び前記質問データを読み出して、当該質問グループ識別子に関連づけられたニュース識別子及び質問文、前記ニュース識別子に関連づけられたニュースの文言を抽出して、前記ユーザ端末に送信する質問表示手段と、
前記ユーザ端末から、ユーザ識別子、前記質問グループ識別子、前記質問識別子及び解答を含む解答登録リクエスト受信すると、前記記憶装置から前記質問グループデータを読み出して、前記解答登録リクエストに含まれる前記質問グループ識別子に関連づけられる前記解答時期に現在時が含まれる場合、前記ユーザ識別子、前記質問グループ識別子、前記質問識別子及び前記解答を関連づけてユーザ解答データに記憶するユーザ解答登録手段と、
前記ユーザ端末から、前記質問グループ識別子を含む結果表示リクエストを受信すると、前記記憶装置から質問グループデータを読み出して、前記結果表示リクエストに含まれる前記質問グループ識別子に関連づけられる前記結果表示時期に現在時が含まれる場合、前記記憶装置から前記ユーザ解答データを読み出して、当該質問グループ識別子に関連づけられた解答を集計して、当該質問グループ識別子に関連づけられる結果グラフタイプで結果データを生成して、前記結果データを前記ユーザ端末に送信する結果表示手段
をコンピュータに実行させることを特徴とする情報処理プログラム。
【請求項９】
前記質問グループ識別子と、前記質問識別子と、前記解答と、解答者名と、前記解答者のコメントが関連づけられたパネラー解答データを前記記憶装置に記憶するパネラー解答データ記憶手段を更にコンピュータに実行させ、
前記結果表示手段は、更に、前記ユーザ解答データから、前記ユーザ識別子、前記質問グループ識別子及び前記質問識別子に関連づけられた前記解答を抽出するとともに、前記記憶装置から前記パネラー解答データを読み出して、前記質問グループ識別子、前記質問識別子及び抽出された前記解答に関連づけられた前記解答者名及びコメントを抽出して、抽出された前記解答者名及びコメントを前記ユーザ端末に送信する
ことを特徴とする請求項８に記載の情報処理プログラム。
【請求項１０】
前記質問グループデータには、前記質問グループ識別子に関連づけられた結果を表示する対象が関連づけられており、
前記結果表示手段は、更に、前記質問グループ識別子に関連づけられた対象に、前記結果表示リクエストに含まれる前記ユーザ識別子が含まれる場合、前記ユーザ端末に前記結果データを送信する
ことを特徴とする請求項８又は９に記載の情報処理プログラム。
【請求項１１】
前記質問グループがクイズである場合、
前記質問データには、前記質問識別子毎に正解解答が関連づけられ、
前記解答登録手段は更に、前記記憶装置から前記質問データを読み出して、前記質問グループ識別子及び前記質問識別子毎に前記ユーザ端末から送信された解答と前記質問データに含まれる正解解答とを比較して、前記ユーザ識別子及び前記質問グループ識別子毎に正解率を算出して、前記正解率を前記ユーザ解答データに記憶する
ことを特徴とする請求項８乃至１０のいずれか１項に記載の情報処理プログラム。
【請求項１２】
前記質問グループ識別子と、前記質問識別子と、前記正解率と、解答者名と、前記解答者のコメントが関連づけられたパネラー解答データを前記記憶装置に記憶するパネラー解答データ記憶手段を更にコンピュータに実行させ、
前記結果表示手段は、更に、前記ユーザ解答データから、前記ユーザ識別子、前記質問グループ識別子及び前記質問識別子に関連づけられた前記正解率を抽出するとともに、前記記憶装置から前記パネラー解答データを読み出して、前記質問グループ識別子、前記質問識別子及び抽出された前記正解率に関連づけられた前記解答者名及びコメントを抽出して、抽出された前記解答者名及びコメントを前記ユーザ端末に送信する
ことを特徴とする請求項１１に記載の情報処理プログラム。
【請求項１３】
前記質問グループデータには、親質問グループ識別子と、結果表示時期と、複数の質問グループ識別子とが関連づけられており、
前記結果表示手段は、更に、前記ユーザ端末から前記親質問グループ識別子を含む結果表示リクエストを受信すると、前記記憶装置から質問グループデータを読み出して、前記結果表示リクエストに含まれる前記親質問グループ識別子に関連づけられる前記結果表示時期に現在時が含まれる場合、前記記憶装置から前記ユーザ解答データを読み出して、当該親質問グループ識別子に関連づけられた解答を集計して、当該親質問グループ識別子に関連づけられる結果グラフタイプで結果データを生成して、前記結果データを前記ユーザ端末に送信する
ことを特徴とする請求項８乃至１２のいずれか１項に記載の情報処理プログラム。
【請求項１４】
ユーザ端末から取得した調査結果を出力する情報処理プログラムにおいて、
テーマ識別子とテーマの文言が関連づけられたテーマデータを記憶装置に記憶するテーマデータ記憶手段と、
前記ユーザ端末に提示する質問グループについて、質問グループ識別子と、前記質問グループの質問を表示する掲載時期と、前記ユーザ端末に前記質問に対して解答させる解答時期と、前記ユーザ端末からの解答を集計して表示する結果表示時期とが関連づけられた質問グループデータを前記記憶装置に記憶する質問グループデータ記憶手段と、
前記質問グループ識別子と、前記質問グループの質問識別子と、前記テーマ識別子と、前記質問文と、前記質問に対する結果を表示する結果グラフタイプとが関連づけられた質問データとが関連づけられた質問データを前記記憶装置に記憶する質問データ記憶手段と、
前記ユーザ端末から、前記質問グループを表示する質問グループ表示リクエストを受信すると、前記記憶装置から前記質問グループデータを読み出して、前記掲載時期に現在時が含まれる質問グループ識別子を抽出して前記ユーザ端末に送信するとともに、前記ユーザ端末から前記質問グループ識別子を含む質問表示リクエストを受信すると、前記記憶装置から前記テーマデータ及び前記質問データを読み出して、当該質問グループ識別子に関連づけられたテーマ識別子及び質問文、前記テーマ識別子に関連づけられたテーマの文言を抽出して、前記ユーザ端末に送信する質問表示手段と、
前記ユーザ端末から、ユーザ識別子、前記質問グループ識別子、前記質問識別子及び解答を含む解答登録リクエスト受信すると、前記記憶装置から前記質問グループデータを読み出して、前記解答登録リクエストに含まれる前記質問グループ識別子に関連づけられる前記解答時期に現在時が含まれる場合、前記ユーザ識別子、前記質問グループ識別子、前記質問識別子及び前記解答を関連づけてユーザ解答データに記憶するユーザ解答登録手段と、
前記ユーザ端末から、前記質問グループ識別子を含む結果表示リクエストを受信すると、前記記憶装置から質問グループデータを読み出して、前記結果表示リクエストに含まれる前記質問グループ識別子に関連づけられる前記結果表示時期に現在時が含まれる場合、前記記憶装置から前記ユーザ解答データを読み出して、当該質問グループ識別子に関連づけられた解答を集計して、当該質問グループ識別子に関連づけられる結果グラフタイプで結果データを生成して、前記結果データを前記ユーザ端末に送信する結果表示手段
をコンピュータに実行させることを特徴とする情報処理プログラム。
【発明の詳細な説明】
【技術分野】
【０００１】
本発明は、ユーザ端末から取得した調査結果を出力する情報処理装置及び情報処理プログラムに関する。
【背景技術】
【０００２】
従来、新聞社などが集団や社会の世論を調べる世論調査や、企業が商品動向等を調べるアンケートが行われている。この場合、調査員が各家庭に電話して調査する電話調査や、調査員が街頭で街頭調査などが採用されていた。
【０００３】
一方、昨今の情報端末及び通信ネットワークの発達により、情報の伝達が容易になってきていることに伴い、世論調査やアンケートなどの情報調査が情報端末や通信ネットワークを利用して行われることがある。
【０００４】
例えば、多言語での国際市場調査を迅速かつ確実に実施できる多言語市場調査システムがある（例えば、特許文献１。）。この特許文献１においては、デジタル有線通信網によるコンピュータ双方向通信ネットワークにおいて、多言語市場調査ウェブサイト装置が、多言語による市場調査の依頼を受け取り、かつ、多言語による市場調査のユーザ（解答者）の募集を実行し、募集に応じたユーザに多言語での市場調査を依頼し、ユーザからの市場調査に対する情報に基づいた報告を行う多言語市場調査システムが開示されている。
【０００５】
又、従来は新聞やテレビ放送で提供されていたニュースが、インターネットなどを介してコンピュータや携帯電話機に提供される技術が普及している。
【特許文献１】特開２００２−１２３６６２号公報
【発明の開示】
【発明が解決しようとする課題】
【０００６】
しかし、上述した特許文献１に記載の多言語市場調査システムによれば、単に市場調査の依頼と、ユーザの募集と、ユーザへの調査依頼と、ユーザからの報告が、多言語市場調査ウェブサイト装置によって制御されるものである。従ってユーザには、調査依頼された市場調査に解答した結果について、調査に関する一連の処理において知ることはできない。
【０００７】
又、従来の世論調査や電話調査においても、同様の問題が発生する。具体的には、解答者が調査の結果を知るためには、新聞などを購入しなければならない。
【０００８】
これにより、従来の調査においては、ユーザは単に調査に参加するのみに止まり、ユーザの知的欲求を満たしているものではなかった。
【０００９】
又、従来のニュースの提供では、ニュースの提供者が一方的にニュースを配信するに止まり、そのニュースの理解や意見は、ユーザに一任されていた。そのため、従来のニュース配信においては、他のユーザの意見を聞きたい、ニュースに対する意見を深めたいなどの知的欲求がユーザにあっても、その実現は困難であった。
【００１０】
従って本発明の目的は、ユーザの知的欲求を満たすことのできる情報処理装置及び情報処理プログラムムを提供することである。
【課題を解決するための手段】
【００１１】
上記課題を解決するために、本発明の第１の特徴は、ユーザ端末から取得した調査結果を出力する情報処理装置に関する。即ち本発明の第１の特徴に係る情報処理装置は、ニュース識別子とニュースの文言が関連づけられたニュースデータを記憶装置に記憶するニュースデータ記憶手段と、ユーザ端末に提示する質問グループについて、質問グループ識別子と、質問グループの質問を表示する掲載時期と、ユーザ端末に質問に対して解答させる解答時期と、ユーザ端末からの解答を集計して表示する結果表示時期とが関連づけられた質問グループデータを記憶装置に記憶する質問グループデータ記憶手段と、質問グループ識別子と、質問グループの質問識別子と、ニュース識別子と、質問文と、質問に対する結果を表示する結果グラフタイプとが関連づけられた質問データとが関連づけられた質問データを記憶装置に記憶する質問データ記憶手段と、ユーザ端末から、質問グループを表示する質問グループ表示リクエストを受信すると、記憶装置から質問グループデータを読み出して、掲載時期に現在時が含まれる質問グループ識別子を抽出してユーザ端末に送信するとともに、ユーザ端末から質問グループ識別子を含む質問表示リクエストを受信すると、記憶装置からニュースデータ及び質問データを読み出して、当該質問グループ識別子に関連づけられたニュース識別子及び質問文、ニュース識別子に関連づけられたニュースの文言を抽出して、ユーザ端末に送信する質問表示手段と、ユーザ端末から、ユーザ識別子、質問グループ識別子、質問識別子及び解答を含む解答登録リクエスト受信すると、記憶装置から質問グループデータを読み出して、解答登録リクエストに含まれる質問グループ識別子に関連づけられる解答時期に現在時が含まれる場合、ユーザ識別子、質問グループ識別子、質問識別子及び解答を関連づけてユーザ解答データに記憶するユーザ解答登録手段と、ユーザ端末から、質問グループ識別子を含む結果表示リクエストを受信すると、記憶装置から質問グループデータを読み出して、結果表示リクエストに含まれる質問グループ識別子に関連づけられる結果表示時期に現在時が含まれる場合、記憶装置からユーザ解答データを読み出して、当該質問グループ識別子に関連づけられた解答を集計して、当該質問グループ識別子に関連づけられる結果グラフタイプで結果データを生成して、結果データをユーザ端末に送信する結果表示手段を備える。
【００１２】
ここで、質問グループ識別子と、質問識別子と、解答と、解答者名と、解答者のコメントが関連づけられたパネラー解答データを記憶装置に記憶するパネラー解答データ記憶手段を更に備えても良い。この場合、結果表示手段は、更に、ユーザ解答データから、ユーザ識別子、質問グループ識別子及び質問識別子に関連づけられた解答を抽出するとともに、記憶装置からパネラー解答データを読み出して、質問グループ識別子、質問識別子及び抽出された解答に関連づけられた解答者名及びコメントを抽出して、抽出された解答者名及びコメントをユーザ端末に送信する。
【００１３】
又、質問グループデータには、質問グループ識別子に関連づけられた結果を表示する対象が関連づけられていても良い。この場合、結果表示手段は、更に、質問グループ識別子に関連づけられた対象に、結果表示リクエストに含まれるユーザ識別子が含まれる場合、ユーザ端末に結果データを送信する。
【００１４】
又、質問グループがクイズである場合、質問データには、質問識別子毎に正解解答が関連づけられる。この場合、解答登録手段は更に、記憶装置から質問データを読み出して、質問グループ識別子及び質問識別子毎にユーザ端末から送信された解答と質問データに含まれる正解解答とを比較して、ユーザ識別子及び質問グループ識別子毎に正解率を算出して、正解率をユーザ解答データに記憶する。
【００１５】
又、質問グループ識別子と、質問識別子と、正解率と、解答者名と、解答者のコメントが関連づけられたパネラー解答データを記憶装置に記憶するパネラー解答データ記憶手段を更に備えても良い。この場合、結果表示手段は、更に、ユーザ解答データから、ユーザ識別子、質問グループ識別子及び質問識別子に関連づけられた正解率を抽出するとともに、記憶装置からパネラー解答データを読み出して、質問グループ識別子、質問識別子及び抽出された正解率に関連づけられた解答者名及びコメントを抽出して、抽出された解答者名及びコメントをユーザ端末に送信する。
【００１６】
又、質問グループデータには、親質問グループ識別子と、結果表示時期と、複数の質問グループ識別子とが関連づけられても良い。この場合、結果表示手段は、更に、ユーザ端末から親質問グループ識別子を含む結果表示リクエストを受信すると、記憶装置から質問グループデータを読み出して、結果表示リクエストに含まれる親質問グループ識別子に関連づけられる結果表示時期に現在時が含まれる場合、記憶装置からユーザ解答データを読み出して、当該親質問グループ識別子に関連づけられた解答を集計して、当該親質問グループ識別子に関連づけられる結果グラフタイプで結果データを生成して、結果データをユーザ端末に送信する。
【００１７】
本発明の第２の特徴は、ユーザ端末から取得した調査結果を出力する情報処理装置に関する。即ち本発明の第２の特徴に係る情報処理装置は、テーマ識別子とテーマの文言が関連づけられたテーマデータを記憶装置に記憶するテーマデータ記憶手段と、ユーザ端末に提示する質問グループについて、質問グループ識別子と、質問グループの質問を表示する掲載時期と、ユーザ端末に質問に対して解答させる解答時期と、ユーザ端末からの解答を集計して表示する結果表示時期とが関連づけられた質問グループデータを記憶装置に記憶する質問グループデータ記憶手段と、質問グループ識別子と、質問グループの質問識別子と、テーマ識別子と、質問文と、質問に対する結果を表示する結果グラフタイプとが関連づけられた質問データとが関連づけられた質問データを記憶装置に記憶する質問データ記憶手段と、ユーザ端末から、質問グループを表示する質問グループ表示リクエストを受信すると、記憶装置から質問グループデータを読み出して、掲載時期に現在時が含まれる質問グループ識別子を抽出してユーザ端末に送信するとともに、ユーザ端末から質問グループ識別子を含む質問表示リクエストを受信すると、記憶装置からテーマデータ及び質問データを読み出して、当該質問グループ識別子に関連づけられたテーマ識別子及び質問文、テーマ識別子に関連づけられたテーマの文言を抽出して、ユーザ端末に送信する質問表示手段と、ユーザ端末から、ユーザ識別子、質問グループ識別子、質問識別子及び解答を含む解答登録リクエスト受信すると、記憶装置から質問グループデータを読み出して、解答登録リクエストに含まれる質問グループ識別子に関連づけられる解答時期に現在時が含まれる場合、ユーザ識別子、質問グループ識別子、質問識別子及び解答を関連づけてユーザ解答データに記憶するユーザ解答登録手段と、ユーザ端末から、質問グループ識別子を含む結果表示リクエストを受信すると、記憶装置から質問グループデータを読み出して、結果表示リクエストに含まれる質問グループ識別子に関連づけられる結果表示時期に現在時が含まれる場合、記憶装置からユーザ解答データを読み出して、当該質問グループ識別子に関連づけられた解答を集計して、当該質問グループ識別子に関連づけられる結果グラフタイプで結果データを生成して、結果データをユーザ端末に送信する結果表示手段を備える。
【００１８】
本発明の第３の特徴は、ユーザ端末から取得した調査結果を出力する情報処理プログラムに関する。即ち本発明の第３の特徴に係る情報処理プログラムは、ニュース識別子とニュースの文言が関連づけられたニュースデータを記憶装置に記憶するニュースデータ記憶手段と、ユーザ端末に提示する質問グループについて、質問グループ識別子と、質問グループの質問を表示する掲載時期と、ユーザ端末に質問に対して解答させる解答時期と、ユーザ端末からの解答を集計して表示する結果表示時期とが関連づけられた質問グループデータを記憶装置に記憶する質問グループデータ記憶手段と、質問グループ識別子と、質問グループの質問識別子と、ニュース識別子と、質問文と、質問に対する結果を表示する結果グラフタイプとが関連づけられた質問データとが関連づけられた質問データを記憶装置に記憶する質問データ記憶手段と、ユーザ端末から、質問グループを表示する質問グループ表示リクエストを受信すると、記憶装置から質問グループデータを読み出して、掲載時期に現在時が含まれる質問グループ識別子を抽出してユーザ端末に送信するとともに、ユーザ端末から質問グループ識別子を含む質問表示リクエストを受信すると、記憶装置からニュースデータ及び質問データを読み出して、当該質問グループ識別子に関連づけられたニュース識別子及び質問文、ニュース識別子に関連づけられたニュースの文言を抽出して、ユーザ端末に送信する質問表示手段と、ユーザ端末から、ユーザ識別子、質問グループ識別子、質問識別子及び解答を含む解答登録リクエスト受信すると、記憶装置から質問グループデータを読み出して、解答登録リクエストに含まれる質問グループ識別子に関連づけられる解答時期に現在時が含まれる場合、ユーザ識別子、質問グループ識別子、質問識別子及び解答を関連づけてユーザ解答データに記憶するユーザ解答登録手段と、ユーザ端末から、質問グループ識別子を含む結果表示リクエストを受信すると、記憶装置から質問グループデータを読み出して、結果表示リクエストに含まれる質問グループ識別子に関連づけられる結果表示時期に現在時が含まれる場合、記憶装置からユーザ解答データを読み出して、当該質問グループ識別子に関連づけられた解答を集計して、当該質問グループ識別子に関連づけられる結果グラフタイプで結果データを生成して、結果データをユーザ端末に送信する結果表示手段をコンピュータに実行させる。
【００１９】
ここで、質問グループ識別子と、質問識別子と、解答と、解答者名と、解答者のコメントが関連づけられたパネラー解答データを前記記憶装置に記憶するパネラー解答データ記憶手段を更にコンピュータに実行させても良い。この場合、結果表示手段は、更に、ユーザ解答データから、ユーザ識別子、質問グループ識別子及び質問識別子に関連づけられた解答を抽出するとともに、記憶装置からパネラー解答データを読み出して、質問グループ識別子、質問識別子及び抽出された解答に関連づけられた解答者名及びコメントを抽出して、抽出された解答者名及びコメントをユーザ端末に送信する。
【００２０】
又、質問グループデータには、質問グループ識別子に関連づけられた結果を表示する対象が関連づけられていても良い。この場合、結果表示手段は、更に、質問グループ識別子に関連づけられた対象に、結果表示リクエストに含まれるユーザ識別子が含まれる場合、ユーザ端末に結果データを送信する。
【００２１】
又、質問グループがクイズである場合、質問データには、質問識別子毎に正解解答が関連づけられても良い。この場合、解答登録手段は更に、記憶装置から質問データを読み出して、質問グループ識別子及び質問識別子毎にユーザ端末から送信された解答と質問データに含まれる正解解答とを比較して、ユーザ識別子及び質問グループ識別子毎に正解率を算出して、正解率をユーザ解答データに記憶する。
【００２２】
又、質問グループ識別子と、質問識別子と、正解率と、解答者名と、解答者のコメントが関連づけられたパネラー解答データを記憶装置に記憶するパネラー解答データ記憶手段を更にコンピュータに実行させても良い。この場合、結果表示手段は、更に、ユーザ解答データから、ユーザ識別子、質問グループ識別子及び質問識別子に関連づけられた正解率を抽出するとともに、記憶装置からパネラー解答データを読み出して、質問グループ識別子、質問識別子及び抽出された正解率に関連づけられた解答者名及びコメントを抽出して、抽出された解答者名及びコメントをユーザ端末に送信する。
【００２３】
又、質問グループデータには、親質問グループ識別子と、結果表示時期と、複数の質問グループ識別子とが関連づけられても良い。この場合、結果表示手段は、更に、ユーザ端末から親質問グループ識別子を含む結果表示リクエストを受信すると、記憶装置から質問グループデータを読み出して、結果表示リクエストに含まれる親質問グループ識別子に関連づけられる結果表示時期に現在時が含まれる場合、記憶装置からユーザ解答データを読み出して、当該親質問グループ識別子に関連づけられた解答を集計して、当該親質問グループ識別子に関連づけられる結果グラフタイプで結果データを生成して、結果データをユーザ端末に送信する。
【００２４】
本発明の第４の特徴は、ユーザ端末から取得した調査結果を出力する情報処理プログラムに関する。即ち本発明の第４の特徴に係る情報処理プログラムは、テーマ識別子とテーマの文言が関連づけられたテーマデータを記憶装置に記憶するテーマデータ記憶手段と、ユーザ端末に提示する質問グループについて、質問グループ識別子と、質問グループの質問を表示する掲載時期と、ユーザ端末に質問に対して解答させる解答時期と、ユーザ端末からの解答を集計して表示する結果表示時期とが関連づけられた質問グループデータを記憶装置に記憶する質問グループデータ記憶手段と、質問グループ識別子と、質問グループの質問識別子と、テーマ識別子と、質問文と、質問に対する結果を表示する結果グラフタイプとが関連づけられた質問データとが関連づけられた質問データを記憶装置に記憶する質問データ記憶手段と、ユーザ端末から、質問グループを表示する質問グループ表示リクエストを受信すると、記憶装置から質問グループデータを読み出して、掲載時期に現在時が含まれる質問グループ識別子を抽出してユーザ端末に送信するとともに、ユーザ端末から質問グループ識別子を含む質問表示リクエストを受信すると、記憶装置からテーマデータ及び質問データを読み出して、当該質問グループ識別子に関連づけられたテーマ識別子及び質問文、テーマ識別子に関連づけられたテーマの文言を抽出して、ユーザ端末に送信する質問表示手段と、ユーザ端末から、ユーザ識別子、質問グループ識別子、質問識別子及び解答を含む解答登録リクエスト受信すると、記憶装置から質問グループデータを読み出して、解答登録リクエストに含まれる質問グループ識別子に関連づけられる解答時期に現在時が含まれる場合、ユーザ識別子、質問グループ識別子、質問識別子及び解答を関連づけてユーザ解答データに記憶するユーザ解答登録手段と、ユーザ端末から、質問グループ識別子を含む結果表示リクエストを受信すると、記憶装置から質問グループデータを読み出して、結果表示リクエストに含まれる質問グループ識別子に関連づけられる結果表示時期に現在時が含まれる場合、記憶装置からユーザ解答データを読み出して、当該質問グループ識別子に関連づけられた解答を集計して、当該質問グループ識別子に関連づけられる結果グラフタイプで結果データを生成して、結果データをユーザ端末に送信する結果表示手段をコンピュータに実行させる。
【発明の効果】
【００２５】
本発明によれば、ユーザの知的欲求を満たすことのできる情報処理装置及び情報処理プログラムを提供することができる。
【発明を実施するための最良の形態】
【００２６】
次に、図面を参照して、本発明の実施の形態を説明する。以下の図面の記載において、同一又は類似の部分には同一又は類似の符号を付している。
【００２７】
（最良の実施の形態）
（情報処理システム）
図１に示すように、本発明の最良の実施の形態に係る情報処理システム１０は、情報処理装置１、ユーザ端末２ａ、２ｂ、２ｃ、ニュース配信装置３及び管理者装置４を備える。情報処理装置１、ユーザ端末２ａ、２ｂ、２ｃ、ニュース配信装置３及び管理者装置４は、インターネットなどの通信ネットワーク５によって相互に接続されている。
【００２８】
情報処理装置１は、ユーザ端末２ａ、２ｂ、２ｃに調査の解答を入力させて、解答を受信するとともに、ユーザ端末２ａ、２ｂ、２ｃから受信した解答を集計した結果データを、ユーザ端末２ａ、２ｂ、２ｃに送信する。情報処理装置１は、例えばＷｅｂサーバなどを介して情報を掲載し、ユーザ端末２ａなどに情報を提供する。本発明の最良の実施の形態においては、複数の質問が一つの質問グループに関連づけられ、質問グループ毎に、質問の掲載時期、解答時期及び結果表示時期が制御される場合について説明する。情報処理装置１については、後に詳述する。
【００２９】
ユーザ端末２ａは、ユーザが操作する端末であって、入力装置、表示装置、中央処理制御装置、メモリなどを備える情報端末である。ユーザ端末２ａは、情報処理装置１とデータを送受信可能なブラウザなどのソフトウェアを実行できるものであれば良い。ユーザ端末２は、例えば、携帯電話機、ＰＤＡ（Personal Digital Assistance）、パーソナルコンピュータなどにより実現される。好ましくは、ユーザ端末２ａは、携帯電話機、ＰＤＡなどの可搬性を備える情報端末であることが好ましい。ユーザ端末２ｂ、２ｃも、ユーザ端末２ａと同様である。
【００３０】
ニュース配信装置３は、ニュース提供業者などによって運営され、経済や政治などの日々のニュースを情報処理装置１に送信する情報端末である。ニュース配信装置３が配信するニュースは、ニュースＩＤが付与されている。ニュース配信装置３は、入力装置、表示装置、中央処理制御装置、メモリなどを備える一般的なコンピュータに所定のプログラムがインストールされることにより実現される。
【００３１】
管理者装置４は、通信ネットワーク５を介して情報処理装置１に対して操作する情報端末である。管理者装置４は、質問グループデータ、質問データ、パネラー解答データなどのデータを情報処理装置１に入力する。管理者装置４は、入力装置、表示装置、中央処理制御装置、メモリなどを備える一般的なコンピュータに所定のプログラムがインストールされることにより実現される。
【００３２】
図２を参照して、本発明の最良の実施の形態に係る情報処理システムの処理の概要を説明する。
【００３３】
まず、ステップＳ１０１において、ニュース配信装置３からニュースデータが入力されると、ステップＳ１０２において、情報処理装置１は受信したニュースデータを記憶装置に記憶する。一方、ステップＳ１０３において、質問グループデータ、質問データ、パネラー解答データなどが入力されると、ステップＳ１０４において、情報処理装置１は受信したこれらのデータを記憶装置に記憶する。ここで記憶される質問データは、ステップＳ１０２で登録されたニュースデータに基づいた質問である。
【００３４】
ここでステップＳ１０５において、ユーザ端末２ａから質問表示リクエストを受信すると、ステップＳ１０６において、情報処理装置１は、質問表示リクエストに含まれる質問グループＩＤに関連づけられる質問と、その質問に対する選択肢などを抽出する。更に、ステップＳ１０７において、情報処理装置１は、ステップＳ１０６で抽出された質問及び選択肢を含む解答入力画面を、質問グループＩＤ及び質問ＩＤとともにユーザ端末２ａに送信する。このとき、情報処理装置１は、この質問に関するニュースデータもユーザ端末２ａに送信する。
【００３５】
解答入力画面がユーザ端末２ａに表示されると、ステップＳ１０８において、ユーザの操作によって入力装置から質問に対する解答が入力される。ユーザによる解答の入力が終了すると、ステップＳ１０９において、ユーザ端末２ａから解答登録リクエストが情報処理装置１に送信される。この解答登録リクエストには、ユーザＩＤと、質問グループＩＤと、質問ＩＤ及び解答が含まれている。解答登録リクエストを受信すると情報処理装置１は、ステップＳ１１０において、ユーザ登録データに解答を登録する。
【００３６】
一方、ユーザ端末２ａから、質問グループＩＤに関連づけられた結果表示リクエストが情報処理装置１に送信されると、ステップＳ１１２において、情報処理装置１は、受信した質問グループＩＤに関する解答を抽出して、結果データを生成する。更に情報処理装置１は、ステップＳ１１３において、ステップＳ１１２において生成した結果データと質問グループＩＤを含む結果表示画面をユーザ端末２ａに送信する。
【００３７】
この様に、本発明の最良の実施の形態に係る情報処理システムは、ニュースに関する質問を、ニュースデータとともに送信し、ユーザにニュースデータを閲覧させつつ、それに対する質問を入力させることができる。更に本発明の最良の実施の形態に係る情報処理システムは、他のユーザからの質問に対する解答を集計した結果をユーザに表示する。この様に、ユーザ自身の解答と、他のユーザの解答を比べるなどして、ユーザのニュースに対する理解を深めさせることができる。又、従来、ユーザは一方的にニュースを受け身で受信するしかなかったところ、本発明の最良の実施の形態に係る情報処理システムは、ニュースに関する質問について解答することにより、各々のユーザがニュースに対する意見を持つ様に促すことができる。
【００３８】
（情報処理装置）
図３に示すように、本発明の最良の実施の形態に係る情報処理装置１は、中央処理制御装置１０１、ＲＯＭ（Read Only Memory）１０２、ＲＡＭ（Random Access Memory）１０３及び入出力インタフェース１０９が、バス１１０を介して接続されている。入出力インタフェース１０９には、入力装置１０４、表示装置１０５、通信制御装置１０６、記憶装置１０７及びリムーバブルディスク１０８が接続されている。
【００３９】
中央処理制御装置１０１は、入力装置１０４からの入力信号に基づいてＲＯＭ１０２から情報処理装置１を起動するためのブートプログラムを読み出して実行し、更に記憶装置１０７に記憶されたオペレーティングシステムを読み出す。更に中央処理制御装置１０１は、入力装置１０４や通信制御装置１０６などの入力信号に基づいて、各種装置の制御を行ったり、ＲＡＭ１０３や記憶装置１０７などに記憶されたプログラム及びデータを読み出してＲＡＭ１０３にロードするとともに、ＲＡＭ１０３から読み出されたプログラムのコマンドに基づいて、データの計算又は加工など、後述する一連の処理を実現する処理装置である。
【００４０】
入力装置１０４は、操作者が各種の操作を入力するキーボード、マウスなどの入力デバイスにより構成されており、操作者の操作に基づいて入力信号を作成し、入出力インタフェース１０９及びバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０及び入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、情報処理装置１をインターネットやＬＡＮなどの通信ネットワークに接続する装置である。通信制御装置１０６を介して通信ネットワークと送受信したデータは入力信号又は出力信号として、入出力インタフェース１０９及びバス１１０を介して中央処理制御装置１０１に送受信される。
【００４１】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９及びバス１１０を介して中央処理制御装置１０１に送受信される。
【００４２】
本発明の最良の実施の形態に係る情報処理装置１の記憶装置１０７には、情報処理プログラムが記憶されるとともに、図４に示すように、ニュースデータ２１、質問グループデータ２２、質問データ２３、ユーザ解答データ２４、パネラー解答データ２５及びユーザデータ２６が記憶される。又、情報処理プログラムが情報処理装置１の中央処理制御装置１０１に読み込まれ実行されることによって、図４に示すようにニュースデータ登録手段１１、質問データ登録手段１２、リクエスト受付手段１３、質問表示手段１４、ユーザ解答登録手段１５及び結果表示手段１６が情報処理装置１に実装される。
【００４３】
ニュースデータ２１は、図５に示すように、ニュース識別子とニュースの文言が関連づけられたデータである。ニュースデータ２１は、更に、「政治」、「文芸」などのニュースジャンルが関連づけられても良い。
【００４４】
質問グループデータ２２は、質問グループ識別子と、質問グループの質問を表示する掲載時期と、ユーザ端末２ａに質問に対して解答させる解答時期と、ユーザ端末からの解答を集計して表示する結果表示時期とが関連づけられたデータである。ここで、質問グループとは、ユーザ端末２ａに表示する質問のまとまりの単位である。所定の質問グループＩＤに関連づけられた全ての質問は、同一の掲載期間で掲載され、同一の解答期間に解答でき、同一の結果掲載期間に結果が表示される。
【００４５】
具体的には質問グループデータ２２は、図６に示すように、質問グループＩＤをキーとして、質問グループ名、質問の形式、クイズフラグ、結果公開フラグ、掲載開始日時、掲載終了日時、解答開始日時、解答終了日時、結果掲載開始日時、結果掲載終了日時が関連づけられている。「質問グループ名」は、例えば、ニュースデータ２１においてニュースＩＤに関連づけられるニュースジャンルや、管理者装置４によって入力される任意の文言が対応づけられる項目である。「世論タイプ」は、あるニュースに関する質問に対して解答するタイプを示す「世論」と、あるニュースについて質問と解答を繰り返しながら集団で議論するタイプを示す「ディベート」などの指標が対応づけられる項目である。本発明の最良の実施の形態においては、この「世論タイプ」が「世論」である場合について詳述する。「クイズフラグ」は、所定の質問グループの質問が、世論調査の様に人の意見を収集する目的ではなく、ある正解が予め定められておりユーザの知識を問う目的である場合に、その質問グループについてフラグが設定される項目である。「結果公開フラグ」は、質問グループＩＤに関する結果を公開する対象を示すフラグが設定される項目である。「結果公開フラグ」には例えば、質問に答えた解答者のみに公開することを示す「解答者のみ」、全てのユーザに公開することを示す「全員」などのフラグが設定される。「掲載開始日時」は、質問グループＩＤに関連づけられた質問をユーザ端末２ａ等から閲覧可能な様に掲載する開始日時であって、「掲載終了日時」は、掲載する終了日時である。掲載開始日時から掲載終了日時で定義される掲載期間の間のみ、質問グループＩＤに関連づけられた質問がユーザ端末２ａなどから閲覧され、それ以外の間は、閲覧できないように制御される。「解答開始日時」は、質問グループＩＤに関連づけられた質問をユーザ端末２ａ等から入力される解答の受信の開始日時であって、「解答終了日時」は、解答の受信の終了日時である。解答開始日時から解答終了日時で定義される解答期間の間のみ、質問グループＩＤに関連づけられた質問に関する解答がユーザ解答データ２４に登録され、それ以外の間は、解答が登録できないように制御される。「結果掲載開始日時」は、質問グループＩＤに関連づけられた質問の結果をユーザ端末２ａ等から閲覧可能な様に掲載する開始日時であって、「結果掲載終了日時」は、掲載する終了日時である。結果掲載開始日時から結果掲載終了日時で定義される結果掲載期間の間のみ、質問グループＩＤに関連づけられた質問の結果がユーザ端末２ａなどから閲覧され、それ以外の間は、閲覧できないように制御される。
【００４６】
質問データ２３は、質問グループ識別子と、質問グループに属する質問の質問識別子と、ニュース識別子と、質問文と、質問に対する結果を表示する結果グラフタイプとが関連づけられたデータである。
【００４７】
具体的には質問データ２３は、図７に示すように、質問グループＩＤ及び質問ＩＤをキーとして、解答タイプ、ニュースＩＤ、質問文、解答リスト、解答初期値、正解解答、結果グラフタイプが関連づけられている。ここで、「質問ＩＤ」は、ある質問グループに属する質問を識別する文言が設定される項目である。「質問タイプ」とは、「はい／いいえ」、「はい／いいえ／わからない」、３択、テキスト入力形式など、質問に対する解答の形式が設定される項目である。「ニュースＩＤ」は、質問が関連するニュースのニュースＩＤが設定される項目である。「質問文」は、ユーザ端末２ａ等に表示する質問文が設定される項目である。「解答リスト」は、質問に対する解答が設定される項目である。具体的には、「質問タイプ」が「はい／いいえ／わからない」の場合、「解答リスト」には、「はい｜いいえ｜わからない」と設定される。ここで「｜」はデリミタであって、実際にユーザ端末２ａに表示される場合、デリミタで区切られる文言が選択肢となって表示される。「解答初期値」は、ユーザ端末２ａに表示する場合に最初に選択されるデータが設定される項目である。「正解解答」は、質問グループデータ２２において、「クイズフラグ」が「True」に設定されている場合、そのクイズの正解解答が設定される項目である。「結果グラフタイプ」とは、複数のユーザ端末から入力された解答を集計して母集団に対する各解答の割合を示す場合、その割合を図示するグラフのタイプである。「結果グラフタイプ」には、例えば、円グラフ、棒グラフなどの表示方法が設定される。
【００４８】
ユーザ解答データ２４は、図２４に示すように「質問グループＩＤ」、「質問ＩＤ」及び「解答ユーザＩＤ」をキーとして「解答」が関連づけられている。「解答ユーザＩＤ」は、ユーザ端末２ａの操作者を特定するユーザＩＤが設定される項目である。「解答」は、「解答ユーザＩＤ」項目で特定されるユーザが、「質問グループＩＤ」及び「質問ＩＤ」で特定される質問に対して入力した解答が設定される項目である。質問グループがクイズである場合、図８に示すように、「質問ＩＤ」項目に「クイズ」と設定され、「解答」項目に正解率が設定される。
【００４９】
パネラー解答データ２５は、「質問グループＩＤ」、「質問ＩＤ」、「解答」、「解答者」をキーとして、「コメント」が関連づけられている。ここで「解答者」は、経済評論家や政治家などの著名人名や、ユーザ端末２ａ等を操作するユーザＩＤが設定される項目である。「解答者」項目に著名人名が設定される場合、「コメント」は、「解答者」項目で特定される解答者が、「質問グループＩＤ」項目、「質問ＩＤ」項目で特定される質問に対して、「解答」項目で特定される解答が入力されたユーザに対して提示するための解答者のメッセージが設定される項目である。一方「解答者」項目にユーザＩＤが設定される場合、「コメント」項目には、「質問グループＩＤ」項目、「質問ＩＤ」項目で特定される質問に対して、「解答」項目で特定される解答を入力したユーザのメッセージが設定される項目である。又、質問グループデータ２２において「クイズ」に設定された質問グループＩＤについて、パネラー解答データ２５において、「解答」項目には、その質問グループＩＤに対する正解率が記憶されても良い。
【００５０】
ユーザデータ２６は、ユーザＩＤとキーとして、ユーザの居住地、年齢、年代などのユーザのプロフィールが関連づけられたデータである。
【００５１】
次に、図４において、中央処理制御装置１０１に実装される各処理手段について詳述する。
【００５２】
ニュースデータ登録手段１１は、ニュース配信装置３からニュースデータ２１を受信して記憶装置１０７に記憶する手段である。ニュースデータ登録手段１１は、定期的にニュース配信装置３に接続してニュースを取得しても良いし、ニュース配信装置３から送信されるニュースを取得しても良い。
【００５３】
質問データ登録手段１２は、管理者装置４から入力された質問グループデータ、質問データ及びパネラー解答データ２５を記憶装置１０７に記憶する手段である。質問データ登録手段１２は、情報処理装置１が提供する画面に対して、管理者装置４から入力されたデータを記憶装置１０７に順次記憶しても良いし、管理者装置４からＦＴＰなどでファイル送信されたデータを記憶装置１０７に記憶しても良い。
【００５４】
リクエスト受付手段１３は、ユーザ端末２ａからの接続リクエストを受信して、そのリクエストの種別に応じて、後述する質問表示手段１４、ユーザ解答登録手段１５及び結果表示手段１６のいずれかに処理させる手段である。ユーザ端末２ａから質問グループ或いは質問を表示させるリクエスト（質問グループ表示リクエスト又は質問表示リクエスト）が入力されると、リクエスト受付手段１３は、質問表示手段１４に入力されたを処理させる。ユーザ端末２ａから質問に対する解答を登録するリクエスト（解答登録リクエスト）が入力されると、リクエスト受付手段１３は、ユーザ解答登録手段１５に入力されたを処理させる。ユーザ端末２ａから質問に対する全てのユーザの結果が集計された結果を表示させるリクエスト（結果表示リクエスト）が入力されると、リクエスト受付手段１３は、結果表示手段１６に入力されたリクエストを処理させる。
【００５５】
質問表示手段１４は、ユーザ端末２ａから、質問グループを表示する質問グループ表示リクエストを受信すると、記憶装置１０７から質問グループデータ２２を読み出して、掲載時期に現在時が含まれる質問グループ識別子を抽出してユーザ端末２ａに送信する。更に質問表示手段１４は、ユーザ端末２ａから質問グループＩＤを含む質問表示リクエストを受信すると、記憶装置１０７からニュースデータ２１及び質問データ２３を読み出して、質問データ２３から質問グループＩＤに関連づけられたニュースＩＤ及び質問文を抽出し、ニュースデータ２１からニュースＩＤに関連づけられたニュースの文言を抽出して、ユーザ端末２ａに送信する。
【００５６】
図１１を参照して、質問表示手段１４による質問表示処理を説明する。
【００５７】
まず、ステップＳ２０１において、ユーザ端末２ａから質問グループ表示リクエストを受信したことが、リクエスト受付手段１３によって通知されると、ステップＳ２０２において、質問グループデータ２２が記憶装置１０７から読み出される。ステップＳ２０３において、質問グループデータ２２から、掲載開始日時が現在時より前で、かつ、掲載終了日時が現在時より後のレコードが抽出される。ここで抽出されるレコードは、現在掲載可能な質問グループＩＤを含むレコードである。
【００５８】
ステップＳ２０４において、ステップＳ２０３において抽出されたレコードについて、質問グループ名と質問グループＩＤが関連づけられて出力され、ユーザ端末２ａの表示装置に表示される。
【００５９】
このとき表示される画面は、図１２に示すような質問グループ一覧表示画面Ｐ１０１である。質問グループ一覧表示画面Ｐ１０１は、質問表示リンクＬ１０１、Ｌ１０２を備えている。この質問表示リンクＬ１０１、Ｌ１０２には、質問グループＩＤを含むリンクが施されている。この質問表示リンクＬ１０１又はＬ１０２がユーザによって選択されることにより、質問グループＩＤに関する質問を表示する質問表示リクエストが情報処理装置１に送信される。
【００６０】
ステップＳ２０５において、ユーザ端末２ａから所定の質問グループＩＤを含む質問表示リクエストを受信したことが、リクエスト受付手段１３によって通知されると、ステップＳ２０６において、質問データ２３及びニュースデータ２１が記憶装置１０７から読み出される。ステップＳ２０７において、質問データ２３から、質問表示リクエストに含まれた質問グループＩＤに関連づけられたレコードが抽出される。更に、ステップＳ２０８において、ステップＳ２０７において抽出されたレコードに含まれるニュースＩＤに関連づけられるニュースが、ニュースデータ２１から抽出される。
【００６１】
次に、ステップＳ２０９において、図１３の質問表示画面Ｐ１０２に示すように、ニュース表示部Ａ１０１と、質問ＩＤ毎に質問表示部Ａ１０２と解答入力部Ａ１０３を生成してこれらを関連づけた画面をユーザ端末２ａに送信する。ニュース表示部Ａ１０１は、ステップＳ２０８で抽出されたニュースを表示する。質問表示部Ａ１０２は、ステップＳ２０７で抽出された質問データに含まれる質問文を表示する。解答入力部Ａ１０３は、ステップＳ２０７で抽出された質問データに含まれる解答リストを各選択肢に分割して表示する。各選択肢には、チェックボタンが設けられ、質問データ２３の解答初期値項目で設定される解答が選択された画面が、情報処理装置１によってユーザ端末２ａに表示される。ユーザ端末２ａにおいて、任意のチェックボタンが選択されることにより、ユーザは解答を選択することができる。ただし、解答タイプにテキスト形式で解答が入力されることが設定されている場合、解答入力部にはテキストボックが表示される。又、質問表示画面Ｐ１０２に設けられた送信ボタンＢ１０１がユーザによって選択されることにより、ユーザが解答入力部Ａ１０３で選択した解答、質問グループＩＤ及び質問ＩＤを含む解答登録リクエストが情報処理装置１に送信される。
【００６２】
ユーザ解答登録手段１５は、ユーザ端末２ａから、ユーザＩＤ、質問グループＩＤ、質問ＩＤ及び解答を含む解答登録リクエスト受信すると、記憶装置１０７から質問グループデータ２２を読み出して、解答登録リクエストに含まれる質問グループＩＤに関連づけられる解答時期に現在時が含まれる場合、ユーザＩＤ、質問グループＩＤ、質問ＩＤ及び解答を関連づけたレコードを、ユーザ解答データ２４に挿入して記憶装置１０７に記憶する。更にユーザ解答登録手段１５は、質問グループがクイズである場合、記憶装置１０７から質問データ２３を読み出して、質問グループＩＤ及び質問ＩＤ毎にユーザ端末２ａから送信された解答と質問データ２３に含まれる正解解答とを比較する。更にユーザ解答登録手段１５は、ユーザＩＤ及び質問グループＩＤ毎に正解率を算出して、正解率をユーザ解答データ２４に記憶する。この場合、図７に示すように、質問ＩＤに「クイズ」と記載されてユーザ解答データ２４に記憶される。
【００６３】
図１４を参照して、ユーザ解答登録手段１５による解答登録処理を説明する。
【００６４】
まず、ステップＳ３０１において、ユーザ端末２ａから解答登録リクエストを受信したことが、リクエスト受付手段１３によって通知されると、ステップＳ３０２において、記憶装置１０７から質問グループデータ２２が読み出される。更にステップＳ３０２において、ステップＳ３０１で受信した解答登録リクエストに含まれる質問グループＩＤに関連づけられた解答開始日時が現在時より前で、かつ解答終了日時が現在時より後であるか、具体的には、現在この質問グループＩＤに関する解答を登録しても良いか否かが判定される。
【００６５】
ステップＳ３０２において、現在この質問グループＩＤに対する解答を登録できない場合、ステップＳ３０３においてユーザ端末２ａにエラーメッセージを表示して処理を終了する。
【００６６】
一方、ステップＳ３０２において、現在この質問グループＩＤに対する解答を登録できる場合、ステップＳ３０４において、質問グループデータ２２を参照して、この質問グループＩＤに関連づけられたクイズフラグがTrueか否かが判定される。
【００６７】
クイズフラグがTrueでない場合、具体的にはこの質問グループがクイズでない場合、ステップＳ３０５において、ユーザＩＤ、質問グループＩＤ、及び解答が関連づけられたレコードがユーザ解答データ２４に挿入される。
【００６８】
一方、ステップＳ３０４においてクイズフラグがTrueである場合、具体的にはこの質問グループがクイズである場合、ステップＳ３０６において、ユーザＩＤ、質問グループＩＤ、及び解答が関連づけられたレコードがユーザ解答データ２４に挿入される。更に、ステップＳ３０７において、各質問について、質問データ２３に記憶された正解解答と比較され、質問グループＩＤ毎に正解率が算出され、ステップＳ３０８において、質問グループＩＤ、ユーザＩＤ、及び正解率が関連づけられたレコードがユーザ解答データ２４に挿入される。
【００６９】
結果表示手段１６は、ユーザ端末２ａから、質問グループＩＤを含む結果表示リクエストを受信すると、記憶装置１０７から質問グループデータ２２を読み出す。更に結果表示手段１６は、結果表示リクエストに含まれる質問グループＩＤに関連づけられる結果表示時期に現在時が含まれる場合、記憶装置１０７からユーザ解答データ２４を読み出して、質問グループＩＤに関連づけられた解答を集計して、質問グループＩＤに関連づけられる結果グラフタイプで結果データを生成する。更に結果表示手段１６は、生成した結果データをユーザ端末２ａに送信する。
【００７０】
結果表示手段１６は、更に、ユーザ解答データ２４から、ユーザＩＤ、質問グループＩＤ及び質問ＩＤに関連づけられた解答を抽出するとともに、記憶装置１０７からパネラー解答データ２５を読み出して、質問グループＩＤ、質問ＩＤ及び抽出された解答に関連づけられた解答者名及びコメントを抽出して、抽出された解答者名及びコメントをユーザ端末２ａに送信する。
【００７１】
結果表示手段１６は、更に、質問グループデータ２２の「結果公開フラグ」に基づいて、質問グループＩＤに関連づけられた対象のユーザ端末に結果データを送信する。
【００７２】
結果表示リクエストに含まれる質問グループＩＤがクイズの質問グループである場合、結果表示手段１６は、更に、ユーザ解答データ２４から、ユーザＩＤ、質問グループＩＤ及び質問ＩＤに関連づけられた正解率を抽出する。更に結果表示手段１６は、記憶装置１０７からパネラー解答データ２５を読み出して、質問グループＩＤ、質問ＩＤ及び抽出された正解率に関連づけられた解答者名及びコメントを抽出して、抽出された解答者名及びコメントをユーザ端末２ａに送信する。
【００７３】
次に、図１５を参照して、結果表示手段１６による結果表示処理を説明する。
【００７４】
まず、ステップＳ４０１において、ユーザ端末２ａから結果表示リクエストを受信したことが、リクエスト受付手段１３によって通知されると、ステップＳ４０２において、記憶装置１０７から質問グループデータ２２が読み出される。更に、ステップＳ４０３において、質問グループデータ２２から、結果掲載開始日時が現在時より前で、かつ結果掲載終了日時が現在時より後のレコード、具体的には現在結果を掲載可能な質問グループのレコードが抽出される。ステップＳ４０４において、質問グループ名と質問グループＩＤが関連づけられてユーザ端末２ａに送信される。
【００７５】
このとき表示される画面は、図１６に示すような結果一覧表示画面Ｐ２０１である。結果一覧表示画面Ｐ２０１には、結果表示リンクＬ２０１、Ｌ２０２を備えている。この結果表示リンクＬ２０１、Ｌ２０２には、質問グループＩＤを含むリンクが施されている。この結果表示リンクＬ２０１又はＬ２０２がユーザによって選択されることにより、質問グループＩＤに関する結果を表示する結果表示リクエストが情報処理装置１に送信される。
【００７６】
次に、ステップＳ４０５において、ユーザ端末２ａから書えちの質問グループＩＤについての結果表示リクエストを受信したことが、リクエスト受付手段１３によって通知されると、ステップＳ４０６において、質問データ２３から、ステップＳ４０５で受信した結果表示リクエストに含まれる質問グループＩＤに関連づけられた質問データが抽出される。更にステップＳ４０７において、記憶装置１０７から質問グループデータ２２が読み出され、ステップＳ４０５で受信した結果表示リクエストに含まれる質問グループＩＤに関連づけられたクイズフラグがTrueであるか否かが判定される。
【００７７】
クイズフラグがTrueでない場合、具体的には質問グループがクイズでない場合、ステップＳ４０８において、記憶装置１０７からユーザ解答データ２４が読み出され、ユーザＩＤ、質問グループＩＤ及び質問ＩＤ毎に解答が抽出される。更にステップＳ４０９において、記憶装置１０７からパネラー解答データ２５が読み出され、質問グループＩＤ、質問ＩＤ及び解答毎にパネラー解答データが抽出される。ここでは、ステップＳ４０８において抽出された解答、具体的には、結果表示リクエストを送信したユーザが解答した解答について、パネラー解答データ２５のコメントが抽出される。更に、ステップＳ４１０において、質問グループＩＤ及び質問ＩＤ毎に統計データが反映されたグラフが作成される。ここで作成されるグラフは、質問グループデータ２２の結果グラフタイプで示された形式を備える。更に、ステップＳ４１１において、質問グループＩＤ及び質問ＩＤ毎に結果がユーザ端末２ａに出力される。
【００７８】
このとき表示される画面は、図１７に示すような結果表示画面Ｐ２０２である。結果表示画面Ｐ２０２は、ニュース表示部Ａ２０１、結果表示部Ａ２０２、コメント表示部Ａ２０３、グラフ表示部Ａ２０４を備える。ニュース表示部Ａ２０１は、質問グループデータ２２において質問グループＩＤに関連づけられたニュースＩＤに基づくニュースを表示する。結果表示部Ａ２０２は、質問ＩＤに関連づけられた質問文と、質問ＩＤに関連するユーザの解答を集計した結果を表示する。このとき、結果表示リクエストを送信したユーザが解答した解答は「■」で表示され、それ以外の解答は「□」で表示される。これにより、解答するタイミングと結果を表示するタイミングが異なる場合でも、過去にユーザが入力した解答を表示することができる。コメント表示部Ａ２０１は、ユーザが入力した解答について、解答者名と、解答者が出したメッセージとを表示する。グラフ表示部Ａ２０４は、結果表示部Ａ２０２に表示された集計結果を視覚的にグラフで表して表示する。結果表示部Ａ２０２に表示されるグラフは、質問グループデータ２２において指定されたグラフ形式を備える。
【００７９】
ステップＳ４０７において、質問グループがクイズであると判定された場合、ステップＳ４１２において、記憶装置１０７からユーザ解答データ２４が読み出され、ユーザＩＤ及び質問グループＩＤ毎に質問毎の解答及び正解率が抽出される。更に、ステップＳ４１３において、記憶装置１０７からパネラー解答データ２５が読み出され、質問グループＩＤ、質問ＩＤ及び解答毎にパネラー解答データが抽出される。ここでは、ステップＳ４１２において抽出された解答、具体的には、結果表示リクエストを送信したユーザが解答した解答について、パネラー解答データ２５のコメントが抽出される。更にステップＳ４１４において、質問グループＩＤ毎又は質問ＩＤ毎に、グラフを作成し、ステップＳ４１５において、質問グループＩＤ毎に結果がユーザ端末２ａに出力される。
【００８０】
このとき表示される画面は、図１８に示すような結果表示画面Ｐ２０３である。結果表示画面Ｐ２０３は、結果表示部Ａ２０５及びグラフ表示部Ａ２０６を備える。結果表示画面Ｐ２０３は更に、図１８に示すコメント表示部を備えても良い。結果表示部Ａ２０５は、ユーザが解答した解答は「■」で表示されるとともに、質問データ２３の正解解答に設定された解答に「◎」が表示される。グラフ表示部Ａ２０６には、質問グループ毎や質問毎に正解率がグラフで表示される。
【００８１】
上述した様に、本発明の最良の実施の形態に係る情報処理装置によれば、ニュース提供装置から提供されたニュースについて、質問を作成し、その質問についてユーザに解答させる。従って、ユーザにニュースについて考えさせる時間を確保し、ユーザのニュースに対する理解を深めさせることができる。又、他のユーザの解答を集計してグラフ化して表示することにより、ユーザ全体の母集団に対する自己の評価を得ることができる。更に、著名人からのメッセージを表示することにより、ユーザの解答意欲を刺激するとともに、多方面からの意見を吸収することができる。又、他のユーザのメッセージを入力して、パネラー解答データ２５に登録しても良い。これにより、他のユーザの意見も採り入れて、各ユーザは自己の意見を深めることができる。
【００８２】
この様に、本発明の最良の実施の形態に係る情報処理装置によれば、従来、ユーザは一方的にニュースを受け身で受信するしかなかったところ、本発明の最良の実施の形態に係る情報処理装置は、ニュースに関する質問について解答することにより、各々のユーザがニュースに対する意見を持つ様に促すことができる。
【００８３】
又、図１３に示すような解答表示画面において、ユーザの意見を入力するテキストボックスが設けられても良い。ここにユーザの意見が入力されると、ユーザＩＤとともに情報処理装置１に送信され、パネラー解答データ２５に登録される。パネラー解答データ２５に登録されたユーザの意見は、結果表示手段１６によって結果を表示する際に、パネラーのメッセージと同様に、ユーザの意見を表示することができる。これにより、ユーザが意見を言う機会を設け、他のユーザにアピールすることができる。
【００８４】
（変形例）
本発明の最良の実施の形態の変形例は、質問と回答を数回繰り返すことにより、ユーザ群の意見をディベートさせる場合について説明する。
【００８５】
図１９を参照して本発明の最良の実施の形態の変形例に係る情報処理システムの概要を説明する。
【００８６】
ステップＳ５０１において、管理者装置４から、質問グループデータ２２、質問データ２３、パネラー解答データ２５が情報処理装置１に入力されると、ステップＳ５０２において、これらのデータが情報処理装置１の記憶装置１０７に記憶される。
【００８７】
次に、ユーザ端末２ａからのリクエスト応じて、ステップＳ５０３において、情報処理装置１は、質問とその解答を入力する画面をユーザ端末２ａに送信する。ユーザ端末２ａにおいて、画面が表示されると、ステップＳ５０４においてユーザによる入力装置の操作によって解答が入力される。更にステップＳ５０５において、ユーザＩＤ、質問グループＩＤ、質問ＩＤ及び解答を含む解答送信リクエストが情報処理装置１に送信される。
【００８８】
ステップＳ５０６において、ステップＳ５０５で送信されたユーザの解答が登録され、他のユーザの解答も併せて集計される。
【００８９】
この集計結果に基づいて、ステップＳ５０７において、管理者装置４から、質問グループデータ２２、質問データ２３、パネラー解答データ２５が情報処理装置１に入力される。次に、ステップＳ５０８乃至ステップＳ５１２において、ステップＳ５０８において登録されたデータについて、ステップＳ５０２乃至ステップＳ５０６と同様の処理が行われる。
【００９０】
ステップＳ５０８で入力される情報は、ステップＳ５０６で集計された結果に基づいた新たな質問に関するデータである。例えば、ステップＳ５０３で「来年は○○が優勝しますか？」という質問が表示され、ステップＳ５０６の集計において、「いいえ」の答えが多い場合に、ステップＳ５０９で「それではどこのチームが優勝しますか？」という質問が表示される。この様に、前の質問に対する解答結果を踏襲して、新たな質問を発することにより、ユーザをディベートさせることができる。
【００９１】
ステップＳ５１３において、ユーザ端末２ａから、質問グループＩＤに関連づけられた結果表示リクエストが情報処理装置１に送信されると、ステップＳ５１４において、情報処理装置１は、受信した質問グループＩＤに関する解答を抽出して、結果データを生成する。更に情報処理装置１は、ステップＳ５１５において、ステップＳ５１４において生成した結果データと質問グループＩＤを含む結果表示画面をユーザ端末２ａに送信する。この結果データは、最良の実施の形態と同様に定義される複数の質問に対して付与される質問グループＩＤ毎に結果が生成されても良いし、複数の質問グループＩＤに対して付与される親質問グループＩＤ毎に結果が生成されても良い。
【００９２】
次に、複数の質問グループＩＤの結果を一つの結果データにまとめる場合について説明する。図２０に示す本発明の最良の実施の形態の変形例に係る質問グループデータ２２は、図６に示す本発明の最良の実施の形態に係る質問グループデータ２２と比べて、親ＩＤの項目を備えている点が異なる。親ＩＤには、ディベートにおいて、複数の質問グループＩＤについて一つの結果を出す場合に定義される。例えば、ユーザ端末２ａから質問グループＩＤ「ＱＧ１０３」を含む結果表示リクエストが送信されると、親ＩＤ項目に「ＱＧ１０３」が設定された質問グループＩＤ「ＱＧ１０１」及び「ＱＢ１０２」を抽出し、これらの質問グループＩＤ「ＱＧ１０１」及び「ＱＢ１０２」の質問及び解答について会席して、ユーザに提示する。
【００９３】
本発明の最良の実施の形態の変形例に係る結果表示手段１６は、ユーザ端末２ａから、更に親質問グループＩＤを含む結果表示リクエストを受信すると、記憶装置１０７から質問グループデータ２２を読み出して、結果表示リクエストに含まれる親質問グループＩＤに関連づけられる結果表示時期に現在時が含まれる場合、記憶装置１０７からユーザ解答データ２４を読み出して、親質問グループＩＤに関連づけられた解答を集計して、親質問グループＩＤに関連づけられる結果グラフタイプで結果データを生成して、結果データをユーザ端末２ａに送信する。
【００９４】
図２０で示した例については、質問グループＩＤ「ＱＧ１０１」及び「ＱＧ１０２」については、各質問グループＩＤに関連づけられた掲載開始日時及び掲載終了日時に従って質問が掲載され、解答開始日時及び解答終了日時に従って解答が登録される。又、これらの結果は、質問グループＩＤ「ＱＧ１０１」及び「ＱＧ１０２」の親質問グループＩＤである「ＱＧ１０３」に関連づけられた結果掲載開始日時及び結果掲載終了日時に従って、質問グループＩＤ「ＱＧ１０１」及び「ＱＧ１０２」の結果が掲載される。
【００９５】
これにより、本発明の最良の実施の形態の変形例に係る情報処理装置においては、ユーザ同士をディベートさせ、その結果を、一度の質問及び解答の単位で表示することもできるし、複数の質問及び解答で構成されるディベートの単位で表示することもできる。これにより、他のユーザの意見を参考にしつつ、各々のユーザがニュースに対する意見を持つ様に促すことができる。
【００９６】
（その他の実施の形態）
上記のように、本発明の最良の実施の形態とその変形例によって記載したが、この開示の一部をなす論述及び図面はこの発明を限定するものであると理解すべきではない。この開示から当業者には様々な代替実施の形態、実施例及び運用技術が明らかとなる。
【００９７】
例えば、本発明の最良の実施の形態に記載した情報処理装置は、図４に示すように一つのハードウェア上に構成されても良いし、その機能や処理数に応じて複数のハードウェア上に構成されても良い。又、既存の情報処理装置上に実現されても良い。
【００９８】
又、本発明の最良の実施の形態及びその変形例においては、ニュースを提示して質問及び解答する場合について説明したが、提示する情報はニュースに限られない。例えば、ある絵画や音楽などのテーマを提示して、これについて質問及び解答させても良い。この様に、本発明の最良の実施の形態及び変形例に係る情報処理装置は、様々な情報に対して、ユーザの知識を深めることができる。
【００９９】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【０１００】
【図１】本発明の最良の実施の形態に係る情報処理システムのシステム構成図である。
【図２】本発明の最良の実施の形態に係る情報処理システムの処理の概要を説明するシーケンス図である。
【図３】本発明の最良の実施の形態に係る情報処理装置のハードウェア構成図である。
【図４】本発明の最良の実施の形態に係る情報処理装置の機能ブロック図である。
【図５】本発明の最良の実施の形態に係るニュースデータのデータ構造とデータの一例を説明する図である。
【図６】本発明の最良の実施の形態に係る質問グループデータのデータ構造とデータの一例を説明する図である。
【図７】本発明の最良の実施の形態に係る質問データのデータ構造とデータの一例を説明する図である。
【図８】本発明の最良の実施の形態に係るユーザ解答データのデータ構造とデータの一例を説明する図である。
【図９】本発明の最良の実施の形態に係るパネラー解答データのデータ構造とデータの一例を説明する図である。
【図１０】本発明の最良の実施の形態に係るユーザデータのデータ構造とデータの一例を説明する図である。
【図１１】本発明の最良の実施の形態に係る質問表示手段による質問表示処理を説明するフローチャートである。
【図１２】本発明の最良の実施の形態に係る情報処理装置が提示する質問グループ一覧表示画面の一例である。
【図１３】本発明の最良の実施の形態に係る情報処理装置が提示する質問表示画面の一例である。
【図１４】本発明の最良の実施の形態に係る解答登録手段による解答登録処理を説明するフローチャートである。
【図１５】本発明の最良の実施の形態に係る結果表示手段による結果表示処理を説明するフローチャートである。
【図１６】本発明の最良の実施の形態に係る情報処理装置が提示する結果一覧表示画面の一例である。
【図１７】本発明の最良の実施の形態に係る情報処理装置が、ニュースに対する調査結果を提示する結果表示画面の一例である。
【図１８】本発明の最良の実施の形態に係る情報処理装置が、クイズに対する結果を提示する結果表示画面の一例である。
【図１９】本発明の最良の実施の形態の変形例に係る情報処理システムの処理の概要を説明するシーケンス図である。
【図２０】本発明の最良の実施の形態の変形例に係る質問グループデータのデータ構造とデータの一例を説明する図である。
【符号の説明】
【０１０１】
１…情報処理装置
２、２ａ、２ｂ、２ｃ…ユーザ端末
３…ニュース配信装置
４…管理者装置
５…通信ネットワーク
１０…情報処理システム
１１…ニュースデータ登録手段
１２…質問データ登録手段
１３…リクエスト受付手段
１４…質問表示手段
１５…ユーザ解答登録手段
１６…結果表示手段
２１…ニュースデータ
２２…質問グループデータ
２３…質問データ
２４…ユーザ解答データ
２５…パネラー解答データ
２６…ユーザデータ
１０１…中央処理制御装置
１０２…ＲＯＭ
１０３…ＲＡＭ
１０４…入力装置
１０５…表示装置
１０６…通信制御装置
１０７…記憶装置
１０８…リムーバブルディスク
１０９…入出力インタフェース
１１０…バス
【図１】
2007122646.tif 000003
【図２】
2007122646.tif 000004
【図３】
2007122646.tif 000005
【図４】
2007122646.tif 000006
【図５】
2007122646.tif 000007
【図６】
2007122646.tif 000008
【図７】
2007122646.tif 000009
【図８】
2007122646.tif 000010
【図９】
2007122646.tif 000011
【図１０】
2007122646.tif 000012
【図１１】
2007122646.tif 000013
【図１２】
2007122646.tif 000014
【図１３】
2007122646.tif 000015
【図１４】
2007122646.tif 000016
【図１５】
2007122646.tif 000017
【図１６】
2007122646.tif 000018
【図１７】
2007122646.tif 000019
【図１８】
2007122646.tif 000020
【図１９】
2007122646.tif 000021
【図２０】
2007122646.tif 000022